(57)【要約】【課題】本発明の目的は、服装に合わせてコーディネイトすることができ、持ち運ぶ際に便利であり、さらに、小物などを入れることが可能なマスクを提供する。【解決手段】マスク１は、第１の面１１及び第２の面１２と、この第１の面１１及び第２の面１２に囲まれた中空部と、この中空部と連通する開口部１４を少なくとも一辺側に形成した本体１０と、本体１０の一辺側に配設された第１の耳掛け紐２１と、この第１の耳掛け紐２０に対して本体１０を介して対向して配設された第２の耳掛け紐２２と、開口部１４側に配設された持ち手紐３０と、を備える。【選択図】        図１
2004267566.tif 000002
【特許請求の範囲】
【請求項１】
第１の面及び第２の面と、該第１の面及び第２の面に囲まれた中空部と、該中空部と連通する開口部を少なくとも一辺側に形成した本体と、
前記本体の一辺側に配設された第１の耳掛け紐と、
該第１の耳掛け紐に対して前記本体を介して対向して配設された第２の耳掛け紐と、
前記開口部側に配設された持ち手紐と、を備えてなることを特徴とするマスク。
【請求項２】
前記第１の面及び第２の面の表面と、前記第１及び第２の耳掛け紐を表に出し、前記持ち手紐を前記中空部に入れてマスクとして使用されるとともに、
前記本体を裏返して、前記第１の面と第２の面の裏面を表に出し、前記第１及び第２の耳掛け紐を前記中空部に入れて巾着として使用されることを特徴とする請求項１記載のマスク。
【請求項３】
前記持ち手紐は前記開口部の周囲に配設され、前記持ち手紐を調整することにより、前記開口部が開閉されることを特徴とする請求項１記載のマスク。
【請求項４】
前記第１の面の表面または裏面にポケット部を備えたことを特徴とする請求項１記載のマスク。
【請求項５】
前記第１の面と第２の面は、表面と裏面に模様または色彩が付されたことを特徴とする請求項１記載のマスク。
【請求項６】
前記第１の面と第２の面は、表面に着脱可能なカバーを備えたことを特徴とする請求項１記載のマスク。
【請求項７】
第１の布材と第２の布材を一箇所に開口部を設けて接合し本体を形成する工程と、前記本体の一辺側に第１の耳掛け紐を配設するとともに、該第１の耳掛け紐に対して前記本体を介して対向して配設された第２の耳掛け紐を配設する工程と、前記開口部側に持ち手紐を取着する工程と、を備えたことを特徴とするマスクの製造方法。
【発明の詳細な説明】
【０００１】
【発明の属する技術分野】
本発明はマスクに関し、特に、高いデザイン性を有するとともに、持ち運びが便利で、物入れとしての機能も有するマスクに関するものである。
【０００２】
【従来の技術】
風邪を引いてしまったときや風邪を予防するとき、又は花粉症の症状が出た場合、或いは排気ガス等により大気が汚染されている場合、マスクを装着してウイルス，花粉，汚染空気から身を守ったり、他者への感染を防止することが知られている。
【０００３】
従来のマスクは、ガーゼを重ね折りした本体と、本体に取り付けられたゴム紐とから構成されており、ゴム紐を耳に掛けることにより顔に装着される。
【０００４】
【発明が解決しようとする課題】
マスクは、外出時に予め着用する場合と、ポケットやかばんに携帯しておき、必要なときに取り出して着用する場合とがある。マスクを携帯して持ち運ぶ場合は、顔に接触する面に埃等が付着しないように、マスクを二つに折りたたみ、ポケットやかばん等に入れていた。
【０００５】
また、マスクを使用した後で、使用済みのマスクを持ち運ぶときに、マスクの使用面に触れたくない場合があり、このときもマスクを二つに折り畳んで持ち運んでいた。
【０００６】
このように、マスクをポケットやかばんに入れて持ち運ぶ場合、マスクをどこに入れたのか忘れてしまったり、かばんの中でマスクが他の小物に紛れてしまうことがあり、このような場合は、マスクをすぐに取り出すことができず、マスクが必要な場面においてタイミング良く装着することができないという問題があった。
【０００７】
また、風邪を引いている場合や、花粉症などの場合は、症状がより早く改善するように、錠剤やビタミン剤を服用したり、目薬を使用することがある。また、風邪や花粉症の場合は、ハンカチやティッシュが必需品となる。これらの薬や小物を外出先に持っていく時には、細かいものは袋や箱或いはケース等に入れ、ポケットやかばんに入れて持ち運んでいた。
【０００８】
このため、マスクを持ち運ぶ場合と同様に、上記錠剤や目薬をどこに入れたのか忘れてしまったり、かばんの中で他の小物に紛れてしまうことがあった。そして、マスクと薬を併用している場合は、マスクと薬をそれぞれ探すことになってしまい、余計な手間がかかっていた。
【０００９】
また、従来より、マスクは白いガーゼで形成されており、病気のイメージがあることから、気軽に着用しにくいという問題があった。また、白一色であるため、服装のコーディネートに合わず、浮いてしまうという問題があった。
【００１０】
上記問題を解決するために、絵柄が施されたマスクが提案されている（例えば、特許文献１参照）。このマスクは、ガーゼでない布からなり、表面と裏面に異なった模様が描かれている。さらに、このマスクは、表面と裏面との間に収納部を備え、この袋の中にガーゼ等を入れることができるように構成されている。
【００１１】
【特許文献１】
実登第３００６１３０号公報（第８頁、第９頁、図３）
【００１２】
上記のマスクによれば、その日のファッションに合わせて気軽にマスクを着用することが可能となる。しかし、上記マスクは、外出時に持ち運ぶ点においては、従来と同様であり、ポケットやかばんに入れて持ち運ぶしかなかった。
【００１３】
また、上記マスクは収納部を備えているが、この収納部はマスク本体の表布と裏布の間に設けられており、口が閉じられていない空間であるため、例えばガーゼのように滑りにくく落ちにくいものであれば収納できるが、薬や小物等の収納には向かないという不都合があった。
【００１４】
本発明の目的は、服装に合わせてコーディネイトすることができ、持ち運ぶ際に便利であり、さらに、小物などを入れることが可能なマスクを提供することにある。
【００１５】
【課題を解決するための手段】
上記課題は、本発明の請求項１に係るマスクによれば、第１の面及び第２の面と、該第１の面及び第２の面に囲まれた中空部と、該中空部と連通する開口部を少なくとも一辺側に形成した本体と、前記本体の一辺側に配設された第１の耳掛け紐と、該第１の耳掛け紐に対して前記本体を介して対向して配設された第２の耳掛け紐と、前記開口部側に配設された持ち手紐と、を備えてなることにより解決される。
【００１６】
本発明のマスクは、前記第１の面及び第２の面の表面と、前記第１及び第２の耳掛け紐を表に出し、前記持ち手紐を前記中空部に入れてマスクとして使用されるとともに、前記本体を裏返して、前記第１の面と第２の面の裏面を表に出し、前記第１及び第２の耳掛け紐を前記中空部に入れて巾着として使用されるものである。
【００１７】
このように、本発明に係るマスクは、マスクとして使用できることは勿論のこと、本体を裏返すことにより巾着として使用することができるようになり、二通りの使い方をすることが可能である。
【００１８】
本発明のマスクは、巾着の状態のときには、マスクとして使用するときに顔に接触する面が内側に入った状態となっているため、持ち運ぶときに埃等が付着することがない。また、マスクを使用した後でも、使用面が内側に入った状態となるため、衛生的に持ち運ぶことが可能となる。
【００１９】
また、マスクとして使用していないときは、巾着袋の状態となっているため、首から提げたり、かばんに付けて持ち運ぶことができ、使用したいときにタイミングを逸することなく、すぐに着用することが可能となる。
【００２０】
そして、本発明のマスクは、前記持ち手紐が前記開口部の周囲に配設され、前記持ち手紐を調整することにより、前記開口部が開閉されるように構成されているので、薬等の小物類についても収納することが可能である。
【００２１】
なお、第１の面の表面または裏面にポケットを設けた構成としても良い。このポケットには、例えばガーゼを入れておくと好適である。第１の面にポケットを設けた場合、本体を裏返して巾着としたときでも、巾着の中で、小物を分類して収納するためのポケットとして使用することができ好適である。
【００２２】
さらに、前記第１の面、第２の面は、表面と裏面に模様または色彩が付されたいるので、デザイン性に富んだマスクとすることが可能となり、マスクとして装着するときにも、巾着として使用するときにも、服装とのコーディネイトを楽しむことが可能となる。
【００２３】
さらに、前記第１の面、第２の面は、表面に着脱可能なカバーを備えている。このようにカバーを設けることにより、マスクの外観をさらに多様なものとすることが可能となる。
【００２４】
本発明の巾着兼用マスクの製造方法は、第１の布材と第２の布材を一箇所に開口部を設けて接合し本体を形成する工程と、前記本体の一辺側に第１の耳掛け紐を配設するとともに、該第１の耳掛け紐に対して前記本体を介して対向して配設された第２の耳掛け紐を配設する工程と、前記開口部側に持ち手紐を取着する工程と、を備えたことを特徴とする。
【００２５】
【発明の実施の形態】
以下、本発明の一実施の形態を図面に基づいて説明する。なお、以下に説明する部材，配置等は本発明を限定するものでなく、本発明の趣旨の範囲内で種々改変することができるものである。
【００２６】
図１乃至図１０は、本発明に係るマスクの一実施例を示すものであり、図１は本発明に係るマスクを示す説明図、図２は図１の要部斜視図、図３は第１の布材及び第２の布材を示す説明図、図４は第１の布材と第２の布材を組み付けた状態を示す説明図、図５は本体に耳掛け紐と持ち手紐を取り付けた状態を示す説明図、図６はマスクとして使用するときの状態を示す説明図、図７及び図８はマスクの状態から巾着の状態へ変更する過程を示す説明図、図９及び図１０は巾着として使用するときの状態を示す説明図である。
【００２７】
本例のマスク１は、マスクとして使用することができる他に、巾着としても使用できるように構成されている。マスク１は、本体１０と、本体１０に取着された一対の耳掛け紐２１，２２と、持ち手紐３０と、を備えており袋状に形成されている。
【００２８】
図１及び図２に示すように、本体１０は、第１の面を形成する第１の布材１１と、第２の面を形成する第２の布材１２と、第１の布材１１及び第２の布材１２に囲まれた中空部１３と、この中空部１３の開口部１４とを有した構成とされている。
【００２９】
第１の布材１１及び第２の布材１２は、薄手の綿布、絹布、化繊布、ガーゼ、不織布、紙等から形成されている。より具体的には、ナイロン、ビニロン、ポリエステル、レーヨン、アセテート、アクリル、ポリエチレン、ポリプロピレン、ポリ塩化ビニル等の人工繊維、パルプ、木綿、麻、絹、獣毛等の天然繊維から選ばれた１種又は２種以上を混合した織布、不織布、紙、合成紙及び、ポリエチレン、ポリプロピレン、ポリアミド、ポリエステル、ポリ塩化ビニル、ポリ塩化ビニリデン、ポリウレタン、ポリスチレン、エチレン−酢酸ビニル共重合体、天然ゴム、再生ゴム、合成ゴム等の非通気性樹脂フィルム或いはシートに穿孔を設けたもの等から形成されている。
【００３０】
さらに、第１の布材１１及び第２の布材１２について、二酸化チタン等の光触媒体を付着加工した構成としても良い。このように、布材に光触媒体を付着加工することにより、ウイルス等の細菌性微生物についての殺菌、抗菌、滅菌作用が期待できる他、アンモニア，アセトアルデヒド，酢酸，トリメチルアミン，硫化水素，ホルムアルデヒド，ＮＯｘ，ＳＯｘ等の悪臭物質の脱臭を行うことも可能となる。
【００３１】
第１の布材１１の表面１１ａと、第２の布材１２の表面１２ａ、第１の布材１１の裏面１１ｂと、第２の布材１２の裏面１２ｂには、それぞれ絵柄や色彩が施されている。なお、本例の図面では、マスク１の構成を明確に示すため、絵柄や色彩については図示を省略している。
【００３２】
絵柄は全面に付されていても良いし、ワンポイントとして付されていても良い。また、色彩は、一色であっても良いし、二色以上の組合せやグラデーションであっても良い。絵柄と色彩は、両方付されていても良いし、絵柄のみ、または色彩のみであっても良い。絵柄や色彩は、使用者の服装、眼鏡や帽子等の小物、バイク等の乗り物とマッチングさせるものが好ましい。
【００３３】
絵柄や色彩は、性別、年令、ファッションに幅広く対応できるように、複数のデザインが設けられているのが望ましい。例えば、女性向きには、アニマル柄，迷彩柄，花柄，ワンポイントのキャラクターや文字，パステル調の色合いとし、男性向きには黒，グレー，茶などのシックな色彩、ストライプなどのシンプルな絵柄とし、年配者向きには藍染めや和風の柄，刺繍などの落ち着いた絵柄，色彩とし、子供向けには人気キャラクターや動物柄などのかわいらしい絵柄，色彩とすると良い。
【００３４】
第１の布材の表面１１ａ及び裏面１１ｂ、第２の布材の表面１２ａ及び裏面１２ｂは、全て同じ絵柄及び色彩としても良いし、二つ以上の面が同じ絵柄及び色彩であっても良いし、それぞれの面が異なる絵柄及び色彩であっても良い。第１の布材１１の表面１１ａと第２の布材の表面１２ａとを異なる絵柄及び色彩とすれば、その日の服装や気分に合わせて、絵柄及び色彩を選択して使用することが可能となる。
【００３５】
本例のマスク１は、第１の布材１１の表面１１ａにポケット部１５を備えている。第１の布材１１の表面１１ａは、装着時に使用者側を向く面である。ポケット部１５は、第１の布材１１の表面１１ａに、小さい布片を配設し、開口部を設けて縫合することにより形成されている。ポケット部１５の開口部１５ａは、着用時に横方を向くように形成されている。
【００３６】
ポケット部１５には、例えば、ガーゼ，吸水性ポリマー材，脱脂綿，不織布等が収納される。ポケット部１５にガーゼ等の部材を収納しておくことにより、マスクとして使用するときにポケット部１５から取り出し、マスクと顔の間に介在させることができる。これらガーゼ等の部材により、水分や汚れを吸着して、より快適な装着感を得ることが可能となる。
【００３７】
或いは、ポケット部１５に、水蒸気を放出する水分保持体を設けても良い。水分保持体としては、不織布、織布、多孔質ポリマー等に水を含浸させたもの、吸水性ポリマーに水を吸水させたもの等を使用することができる。これらの水分保持体は、カイロ等の発熱体と組み合わせて用いることにより、着用時に使用者へ水蒸気を供給することが可能となる。
【００３８】
さらにまた、上記吸水性ポリマーに収められた貯蔵水にアルカリ例えばＮａＯＨを含有させることもできる。このアルカリ水によって、有毒ガスを吸収除去することが可能であり、マスク１を防災用に用いることが可能となる。
【００３９】
また、ガーゼにアロマオイルを染み込ませた構成としても良い。ガーゼにアロマオイルをしみこませる場合は、ガーゼをポケット部１５に入れたままで使用すると良い。アロマオイルとしては、鼻や喉などの呼吸器官の炎症を鎮静化するものや、気持ちをリラックスさせるものを使用すると好適である。アロマオイルとしては、例えば、ペパーミント、ラベンダー、ユーカリ、シダーウッド等を使用する。
【００４０】
或いは、アロマオイルではなく、ポケット部１５に、漢方薬を収納した袋を入れる構成としても良い。漢方薬としては、生姜、桂皮、薄荷、蘇葉、細辛、タイサン、キジツ、丁子、ウイキョウ、縮砂、厚朴、沈香、甘草、杏仁、桃仁、橙皮、シンイ、前胡、ケイガイ等の粉末やエキスを選択すると好ましい。
【００４１】
或いは、ポケット部１５に、ガーゼの代わりに活性炭シート（活性炭粉末を不織布中に分散配置させたもの等）を収納しても良い。その他、花粉吸着用ガーゼ若しくはシート、静電気除塵ガーゼ若しくはシート（株式会社興和ヘルスケアー製の静電フィルター「エリトロンＡ８−１００」又は同フィルター「ＡＡ−２２」、微生物成育抑止フィルター「ＤＣ−５７００」を積層したもの）など、使用者の症状に合わせて、症状を和らげるのに効果のあるものを収納すると良い。
【００４２】
なお、ポケット部１５は、本例のマスク１を、巾着として使用したときにも小物等を入れることができるものである。巾着として使用するときは、ポケット部１５は上方に開口しており、比較的小さい小物を収納するための分類用のポケットとして使用することが可能である。
【００４３】
一対の耳掛け紐２１，２２は、マスクとして着用したときに、使用者の顔に本体１０をフィットさせる素材からなり、例えばゴム紐から形成されている。耳掛け紐２１，２２は、本体１０に合わせた色彩とされていると好適である。本例では、図１中左側の耳掛け紐の符号を２１とし、開口部１４側の耳掛け紐の符号を２２として説明する。
【００４４】
持ち手紐３０は、巾着として使用したときに、使用者の首や肩に掛けたり、かばんに吊り下げるときに用いられるものである。持ち手紐３０は、例えば革紐、布紐、ゴム紐、合成繊維からなる紐、合成樹脂からなる紐等、種々の素材から形成することが可能であり、所定の色彩が施されている。持ち手紐は無地であっても良くまたは透明であっても良い。或いは本体１０にマッチする絵柄や文字を施すことが可能である。
【００４５】
本例のマスク１は、図３乃至図５に示す工程を経て製作される。
先ず、予め所定の大きさに裁断した第１の布片１１と、第２の布片１２を用意する。これら第１の布片１１及び第２の布片１２の表面１１ａ，１２ａ及び裏面１１ｂ，１２ｂには、絵柄や色彩が適宜施されている。
【００４６】
第１の布片１１には、ポケット部１５が形成されている。ポケット部１５は、第１の布片１１に小布片を縫合することにより形成される。ポケット部１５は、第１の布片１１と小布片との間に空間が形成されるように、また、着用時に開口部１５ａが横方を向くように縫合される。このようにして、第１の布片１１にポケット部１５が形成される。
【００４７】
第１の布片１１には、左右一対の紐通し部１６，１７が形成され、第２の布片１２には、左右一対の紐通し部１８，１９が形成される。紐通し部１６，１７，１８，１９のいずれかには、耳掛け紐２１，２２が配設される。
【００４８】
また、紐通し部１６，１７，１８，１９には、持ち手紐３０が配設される。紐通し部１６，１７，１８，１９は、第１の布片１１，第２の布片１２の端部を折返し、中に紐が通せるだけの空間を確保しながら折返した部分を縫うことにより形成される。
【００４９】
図４に示すように、第１の布片１１と第２の布片１２は、表面１１ａ，１２ａが外方を向くように重ね合わせられて組み付けられる。そして、図５に示すように、第１の布片１１と第２の布片１２はピンＰにより仮止めされる。
【００５０】
このように、仮止めされた第１の布片１１と第２の布片１２において、紐通し部１６，１７，１８，１９のいずれかに耳掛け紐２１，２２が配設される。本例では、第１の布片１１に設けられた紐通し部１６，１７に、耳掛け紐２１，２２を配設している。なお、耳掛け紐２１，２２を、第２の布片１２の紐通し部１８，１９に配設しても良いことは勿論である。
【００５１】
或いは、第１の布片１１の紐通し部１６，１７、第２の布片１２の紐通し部１８，１９それぞれに耳掛け紐を通し、合わせて４本の耳通し紐が配設された構成としても良い。このとき、耳通し紐の色彩を変えることにより、カラフルな外観とすることが可能となる。また、このように耳通し紐を複数本設ける場合において、耳通し紐を糸やビーズなどでまとめた構成とすると、よりファッショナブルな印象とすることができ好適である。
【００５２】
次に、持ち手紐３０を配設する。本例では、持ち手紐３０は、紐通し部１７，１９に配設される。すなわち、本例のマスク１を、巾着として使用するときには、持ち手紐３０が設けられている側が上方となるため、第１の布片１１に設けられたポケット部１５が開口している側に、持ち手紐３０を配設するのである。
【００５３】
図２に示すように、持ち手紐３０は、紐通し部１７，１９を通過して一回以上巻き付けられて配設される。これにより、持ち手紐３０を引っ張ったときに、巾着の開口部１４が縮まって閉じられる構成となる。
【００５４】
次いで、紐通し部１７，１９の箇所を除いて、図１に示すように、本体の周囲を縫い、第１の布片１１と第２の布片１２とを縫合する。このようにして、マスク１が完成する。
【００５５】
なお、本例では、第１の布片１１と第２の布片１２をピンＰにより仮止めし、仮止めの状態で耳掛け紐２１，２２や持ち手紐３０を配設するようにしているが、これに限らず、第１の布片１１と第２の布片１２を予め縫製しておき、縫製後に耳掛け紐２１，２２や持ち手紐３０を配設する手順としても良い。
【００５６】
また、本例では、ポケット部１５を、予め第１の布片１１に設けられた構成として示しているが、第１の布片１１と第２の布片１２を組み付けた後で、ポケット部１５を後付で設けるようにしても良い。
【００５７】
ここで、本例のマスク１の使用方法について説明する。
先ず、マスクとして使用するときは、図６に示す状態で使用する。着用時には、第１の布片１１及び第２の布片１２の表面１１ａ，１２ａが外側に出ている。使用者側には、第１の布材１１の表面１１ａが向くようにする。持ち手紐３０は、紐通し部１７，１９の間の開口部１４から、本体内部の中空部１３に押し込まれる。
【００５８】
このとき、必要に応じてポケット部１５からガーゼを取り出し、マスクの内側に配設する。そして、耳掛け紐２１，２２を耳にかけて、本体１０で顔を覆うようにして着用する。
【００５９】
巾着として使用するときは、図７に示すように、紐通し部１７，１９の側から本体１０を裏返して行く。こうすることにより、今まで表に出ていた第１の布材１１と第２の布材１２の表面１１ａ，１２ａが内側に入り、代わって裏面１１ｂ，１２ｂが表側に出てくる。
【００６０】
図８に示すように、さらに裏返していくと、一方の耳掛け紐２１が中空部１３に入る。図９に示すように、本体１０が完全に裏返されたら、もう一方の耳掛け紐２２を中空部１３に入れる。こうして、マスク１は巾着の状態となる。
【００６１】
マスク１が巾着の状態となれば、使用者は持ち手紐３０を手に吊り下げたり、首に掛ける等して、容易に持ち運ぶことが可能となる。また、持ち手紐３０をかばんの取っ手に掛けることも可能である。
【００６２】
巾着の状態では、持ち手紐３０を引っ張ることにより、図１０に示すように、開口部１４を閉止させることができるため、ハンカチ、ティッシュ、錠剤、ビタミン剤、目薬などの小物を収納することが可能である。また、巾着の内部では、ポケット部１５の開口部１５ａが上方に向いているので、このポケット部１５に小さくてなくしやすいもの、例えば指輪やピアスなどを入れることが可能である。
【００６３】
この他、巾着には、携帯電話、化粧品、鏡、菓子類など、使用者のニーズに応じて種々の小物を収納することが可能である。
【００６４】
或いは、巾着に絆創膏，綿棒，傷薬，消毒薬などを入れて、子供用の救急袋として使用しても良い。この救急袋を携帯していれば、外出時に子供がけがをした場合でも応急処置が可能であり、また、外出先で空気が汚れていたり人混みであった場合などは、マスクの状態にして取り急ぎ装着させ、風邪を予防することが可能となる。
【００６５】
さらに、子供が風邪を引いてしまって発熱したときや、手や脚をくじくなどして腫れてしまった場合は、巾着を氷嚢として使用し、応急処置をすることも可能である。
【００６６】
巾着を氷嚢として使用する場合は、ビニール袋入れた氷や、冷却剤を巾着に収納する。子供であれば、耳掛け紐２１，２２を肩にかけ、巾着の部分を脇の下に当てる。大人であれば、持ち手紐３０を肩に掛け、巾着の部分で脇の下を冷やすようにすると良い。このとき、巾着が二つあるとより効率よく熱を冷ますことができ好適である。
【００６７】
或いは、巾着にカイロを収納した構成としても良い。巾着にカイロを収納することにより、冬季に身体を温めたり、或いは冷えによる関節の痛みや胃腸の不調が起こった際に、患部にあてがって使用することが可能である。また、マスクとして使用しているときに、ポケット部１５に薄くて小さめのカイロを入れることにより、顔を温めるとともに、鼻や喉に吸引される空気を暖めることが可能である。
【００６８】
上記のように、巾着に氷を入れたりカイロを入れて使用する場合、ポケット部１５の内側面、またはマスクとして使用したときに内部側を向く面（第１の布材１１裏面１１ｂ，第２の布材１２の１２ｂ）にアルミニウム等の金属箔を配設すると、より高い冷却効果または温熱効果を得ることができ好適である。
【００６９】
或いは、第１の布材１１と第２の布材１２をそれぞれ二重構造にし、それぞれの布材の内部に金属泊を配設する構成としても良い。このように金属泊を配設する場合は、金属泊に穿孔を設けると、マスクとして使用する際に通気性が確保され好適である。
【００７０】
なお、上記実施例では、紐通し部１７，１９の箇所を除いて、本体の周囲が縫製され、巾着として使用したときに袋状になるようにしていたが、紐通し部１６，１８の箇所についても縫製しないようにしても良い。
【００７１】
紐通し部１６，１８の箇所についても縫製しないと、巾着の状態にしたときに底がない筒状になるため、小物はポケット部１５にのみ収納する。本構成によれば、小物の収納力は低減するものの、持ち運ぶ際に、見た目がフラットですっきりとした印象となる。
【００７２】
さらに、別の実施例として、本体の周囲を縫製するときに、紐通し部１６，１８の箇所と、紐通し部１７，１９の箇所と、残りの一つの辺を縫製した構成としても良い。このように縫製すると、巾着の状態にしたとき、図１１に示すような形状となる。
【００７３】
図１１に示すような形状の巾着の場合は、手持ち紐３０を、開口部１４の周囲にステッチ状に設けると、開口部１４を絞って閉止することが可能となり好適である。
【００７４】
図１２に、マスク１のさらに他の実施例を示す。
本例のマスク１は、マスクとして使用するときに外側を向く面（第２の布材１２の表面１２ａ）にカバー４０が取り付けられている。
【００７５】
カバー４０には模様または色彩が付されており、性別、年令、ファッションに幅広く対応できるように、複数のデザインが設けられているのが望ましい。また、カバー４０は直接顔に触れるものではないため、カバー４０の材質としては、ニット、メッシュ、レース、ラメ入りの布等であっても良い。また、刺繍やアップリケ、或いはビーズやスパンコールが付された布であっても良い。
【００７６】
カバー４０は、例えばホックや、互いに固着可能な面状ファスナ４１ａ，４１ｂ等の留め具により、第２の面１２ａに着脱可能に取り付けられる。或いは、カバー４０を袋状に形成し、本体１０をくるむようにして配設しても良い。図１３は、袋状に形成されたカバー４０を裏側から見た図である。図示されているように、カバー４０に設けられた開口端部４２にゴム紐を通して、本体１０に被せて配設する。
【００７７】
【発明の効果】
以上のように、本発明のマスクによれば、マスクとして使用できることは勿論のこと、本体を裏返すことにより巾着となるので、そのまま手に持ったり、首に下げたり、かばんに付けたりして簡単に持ち運ぶことができ、必要なときにすぐに装着することが可能となる。
【００７８】
また、巾着として使用するときは、開口部を閉じることができるように構成されているので、風邪や花粉症のときの必需品であるハンカチやティッシュ、錠剤、目薬などを巾着に収納して、必要なものをセットにして持ち運ぶことができ、それぞれの小物を探す手間をなくすことが可能となる。
【００７９】
さらに、本発明のマスクには、模様または色彩が付されているので、服装とのコーディネイトを楽しみながら、気軽に装着することが可能となる。
【図面の簡単な説明】
【図１】本発明のマスクを示す説明図である。
【図２】図１の要部斜視図である。
【図３】第１の布材及び第２の布材を示す説明図である。
【図４】第１の布材と第２の布材を組み付けた状態を示す説明図である。
【図５】本体に耳掛け紐と持ち手紐を取り付けた状態を示す説明図である。
【図６】マスクとして使用するときの状態を示す説明図である。
【図７】マスクの状態から巾着の状態へ変更する過程を示す説明図である。
【図８】マスクの状態から巾着の状態へ変更する過程を示す説明図である。
【図９】巾着として使用するときの状態を示す説明図である。
【図１０】巾着として使用するときの状態を示す説明図である。
【図１１】他の実施例を示す説明図である。
【図１２】他の実施例を示す説明図である。
【図１３】他の実施例を示す説明図である。
【符号の説明】
１  マスク、  １０  本体、  １１  第１の布材、  １１ａ  第１の布材の表面、  １１ｂ  第１の布材の裏面、  １２  第２の布材、  １２ａ  第２の布材の表面、  １２ｂ  第２の布材の裏面、  １３  中空部、  １４  開口部、  １５  ポケット部、  １５ａ  ポケット部の開口部、  １６，１７，１８，１９  紐通し部、  ２１，２２  耳掛け紐、  ３０  持ち手紐、  ４０  カバー、  ４１  留め具、  ４２  カバーの開口端部
【図１】
2004267566.tif 000003
【図２】
2004267566.tif 000004
【図３】
2004267566.tif 000005
【図４】
2004267566.tif 000006
【図５】
2004267566.tif 000007
【図６】
2004267566.tif 000008
【図７】
2004267566.tif 000009
【図８】
2004267566.tif 000010
【図９】
2004267566.tif 000011
【図１０】
2004267566.tif 000012
【図１１】
2004267566.tif 000013
【図１２】
2004267566.tif 000014
【図１３】
2004267566.tif 000015